(57)【要約】【課題】複数の作家・コンテンツクリエイター・広告主による各種出版・広告・印刷物のコストを確実に押さえることができる、インターネット上にて一貫して作成〜編集、完成までを行えるシステムを目的とする。また、各コンテンツ・広告の作成、出稿を容易にすると同時に、一般消費者が編集過程の進捗をリアルタイムで確認できるエンターテイメント性の強いインターネット連動型紙媒体作成表示機能システムを提供する。【解決手段】発行予定紙媒体の各種出版・広告・印刷物に、一定の区画を割り振ることにより、また、それをインターネット上のＷＥＢサイトに表示させ、ひと枠単位の低コストでの各コンテンツ・広告の作成、出稿を容易とする。サーバー管理により、作家・コンテンツクリエイター・広告主の広告作成、出稿及び各コンテンツの完成状況をリアルタイムで一般消費者がインターネット上にて閲覧できるシステム。【選択図】図１
2009054120.tif 000002
【特許請求の範囲】
【請求項１】
出版印刷物のページ構成が予め一定の区画に割り振られていて、最小１区画から各種コンテンツ・広告の作成、出稿が可能なインターネット連動型紙媒体作成表示機能システム。
【請求項２】
複数の作家・コンテンツクリエイター・広告主がインターネット上にて作成〜編集、完成までを行えるインターネット連動型紙媒体作成表示機能システム。
【請求項３】
前記、各種出版・広告・印刷物の各コンテンツ・広告内容の提供は、各コンテンツ・広告を画像情報として提供することを求めることを特徴とする請求項１あるいは２記載のインターネット連動型紙媒体作成表示機能システムである。
【請求項４】
作家・コンテンツクリエイター・広告主が特定区画をインターネット上で指定し、各コンテンツ・広告を作成・編集・完成すると、通信ネットワークを介して情報が送信され、リアルタイムで各コンテンツ・広告が完成するまでの進捗を一般消費者が閲覧できることを特徴とする請求項２あるいは３記載のインターネット連動型紙媒体作成表示機能システム。
【請求項５】
一般消費者がインターネット上で特定のコンテンツ・広告画像を指定すると、作家・コンテンツクリエイター・広告主から入力された作家名・作品名・店舗名や連絡先といった情報を受け取ることが可能なインターネット連動型紙媒体作成表示機能システム。
【発明の詳細な説明】
【技術分野】
【０００１】本発明は、インターネット連動型紙媒体作成表示機能システム、特に同一紙面上に複数の依頼者のコンテンツ・広告内容を掲載して配布する、各種出版・広告・印刷物を低コストで効果的に作成・編集・完成し、チラシの着眼率及び訴求効果を高めることを図ったインターネット連動型紙媒体作成表示機能システムに関する。
【背景技術】
【０００２】従来、単独の広告主による紙媒体の広告用チラシは、一般消費者が見た際に少しでも興味がないと判断されると、全ての内容・項目を見ずにそのまま放置されてしまう欠点がある。このように、チラシ広告が放置されたり捨てられたりしていたのでは、チラシ広告をした広告主の意思自体が踏みにじられるとともに、高価な広告料をチラシ広告業者に支払う意味が失われ、広告の実効が皆無となる。上記の内容は、一般消費者から見た場合、全く興味・関心の湧かないチラシ広告により不快を生ずることと同義である。現在は多数のチラシ広告が溢れている状況であるので、一般消費者がチラシ広告により不快な気分を生じさせる可能性は高いといえる。また、販売促進や認知度向上を目的にチラシ広告を作成して配布することは、中小企業や小売店にとっては予算的に困難な場合も多く、一般消費者の生活を充実せしめ得る優れた商品・サービスが伝えられていない状況がある。
【発明の開示】
【発明が解決しようとする課題】
【０００３】従来の単独広告主によるチラシ広告では、現代の消費者の多様化する価値観に対応することができず、時代のニーズに応じた情報提供・広告宣伝活動の形式ではなく、結果としてただ捨てられるだけのチラシ広告となってしまう欠点がある。本発明は上記のような従来の欠点に鑑み、多様な価値観に対応するため作家・コンテンツクリエイター・広告主が相互補完的に各種出版・広告・印刷物の価値を高めることにより、着眼率を上昇させ、閲覧時間を伸ばし、訴求効果の高い時代のニーズに応じた各種出版・広告・印刷物を実現させる。また、複数の作家・コンテンツクリエイター・広告主による各種出版・広告・印刷物として各作家・コンテンツクリエイター・広告主のコストを確実に押さえることができ、宣伝広告効果・認知度を高めることができるとともに、複数のコンテンツ・広告を一枚で閲覧することができるという、一般消費者にとって他社チラシ広告と比較してエンターテイメント性の強い各種出版・広告・印刷物の提供を目的とする。
【課題を解決するための手段】
【０００４】上記目的を達成するために、本発明は、一定の区画を割り付けた各種出版・広告・印刷物を制作し、ユーザ端末から通信ネットワークを介して送られてくる、各種出版・広告・印刷物作成条件を含む依頼情報を受信する受信手段と、インターネット上で既に確定している各コンテンツ・広告作成条件の合成された任意の各種出版・広告・印刷物レイアウトデータを蓄積するレイアウト蓄積手段と、前記受信手段により受信された依頼情報を蓄積する依頼情報蓄積手段と、該当依頼情報に含まれる各種出版・広告・印刷物作成条件から、同一紙面上に掲載する、各コンテンツ・広告デザインが合成されている各種出版・広告・印刷物レイアウトデータを、前記レイアウト蓄積手段から抽出する抽出手段と、抽出された各種出版・広告・印刷物レイアウトデータに、ユーザ指定の各コンテンツ・広告デザインを合成して各種出版・広告・印刷物イメージデータを作成する合成手段と、作成された各種出版・広告・印刷物イメージデータを、前記通信ネットワークを介して前記ユーザ端末に送り、各種出版・広告・印刷物イメージ表示画面を表示させる送信手段とを備えたことにより、前記課題を解決したものである。
【発明の効果】
【０００５】本発明によれば、現代の多様化する価値観の中で、一般消費者それぞれが興味のあるコンテンツ・広告を選択的、能動的に獲得することが可能になる。
また、単独の広告主ではなく、複数の作家・コンテンツクリエイター・広告主が各種出版・広告・印刷物に出稿するため、低コストで中身の充実した宣伝活動を行える。
コンテンツ・広告出稿者は、インターネット上で容易に広告の作成〜編集・完成まで行える。これにより、一般消費者は、通常は見ることのできないコンテンツ・広告の完成に至るまでの編集過程をリアルタイムで楽しめる。
【発明を実施するための最良の形態】
【０００６】この発明の一実施形態を、図１に示す。本発明の第１の実施の形態に係る各種出版・広告・印刷物は、街頭で配布したりポストに入れたりするもので印刷することができる薄紙や、厚紙等を使用した従来の広告紙と同様な大きさの広告紙に、予め一定の区画を割り振り、ここに各種コンテンツ・広告を収めたものである。各コンテンツ・広告の作成、出稿後のイメージを図２に示す。【０００７】「実施形態の効果」  この実施形態によれば、各コンテンツ・広告表示領域を、すべて一定の面積にできる。したがって、編集や校正、刷り直しの際の並べ替え、差替えが容易であり、作業の効率化をはかることができる。その面積は、内容によってコンテンツや商品・サービスを最も効果的に宣伝するために必要な、少なくとも最低限のものである。また、本発明の各種出版・広告・印刷物にコンテンツ・広告を掲載する作家・コンテンツクリエイター・広告主の数や選択、指定された区画数などによって、その表示領域面積が決定される。
【図面の簡単な説明】
【０００８】
【図１】本発明の全体を示す図である。
【図２】各コンテンツ・広告の作成、出稿後の各種印刷物の完成を示す図である。
【図１】
2009054120.tif 000003
【図２】
2009054120.tif 000004